【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
コンタクトレンズであって、以下：
該レンズの光学部領域に複数のマークを含む表面であって、該マークが、後方レンズ表面から前方レンズ表面の方向に伝搬する光に対して、光を吸収するかまたは光を散乱させる、表面、
を備え、ここで、該マークが、インビボの該レンズの視力を損なわない、
コンタクトレンズ。
【請求項２】
前記マークが、前方レンズ表面上にある、請求項１に記載のコンタクトレンズ。
【請求項３】
前記マークが、成型されたマークである、請求項１に記載のコンタクトレンズ。
【請求項４】
前記マークが、レーザアブレーションされたマークである、請求項１に記載のコンタクトレンズ。
【請求項５】
前記マークが、リソグラフィーマークである、請求項１に記載のコンタクトレンズ。
【請求項６】
前記マークが、回転対称を有しないパターンである、請求項１〜５のいずれか一項に記載のコンタクトレンズ。
【請求項７】
前記マークが、並進対称性を有さないパターンである、請求項１〜５のいずれかに記載のコンタクトレンズ。
【請求項８】
前記マークが、回転対称を有さないパターンである、請求項６に記載のコンタクトレンズ。
【請求項９】
前記マークが、予め規定された曲線に沿って整列されている、請求項１〜８のいずれか一項に記載のコンタクトレンズ。
【請求項１０】
前記マークが、複数の直線に沿って整列されている、請求項１〜８のいずれか一項に記載のコンタクトレンズ。
【請求項１１】
少なくとも３つのマークを備える２つの線を備える、請求項１０に記載のコンタクトレンズ。
【請求項１２】
前記直線が、交差している、請求項１０または１１に記載のコンタクトレンズ。
【請求項１３】
前記直線が、単一の共通点で交差する、請求項１２に記載のコンタクトレンズ。
【請求項１４】
前記直線それぞれが、約５ｍｍの長さを有する、請求項１０〜１３のいずれか一項に記載のコンタクトレンズ。
【請求項１５】
少なくとも４つのマークを備える３つの直線を備える、請求項１３に記載のコンタクトレンズ。
【請求項１６】
前記３つの直線が、３つの異なる交差角度で交差する、請求項１５に記載のコンタクトレンズ。
【請求項１７】
前記交差角度が、約１００°〜約１６５°の間の範囲であり、約１０°の最大偏差を有する、請求項１６に記載のコンタクトレンズ。
【請求項１８】
前記マークそれぞれが、約２００μｍ未満の直径を有する大きさを有する、請求項１〜１７のいずれか一項に記載のコンタクトレンズ。
【請求項１９】
前記マークそれぞれが、約５０μｍ〜２００μｍ未満の間の範囲の直径を有する大きさを有する、請求項１〜１７のいずれか一項に記載のコンタクトレンズ。
【請求項２０】
前記マークが、約６００μｍの相互分離距離を有する、請求項１〜１９のいずれか一項に記載のコンタクトレンズ。
【請求項２１】
インビボでコンタクトレンズの測定を行う方法であって、以下：
ａ）選択的にマークされたコンタクトレンズをインビボで提供する工程；
ｂ）インビボの該レンズの画像を得る工程；
ｃ）瞳孔座標パラメーターを決定する工程；
ｄ）該瞳孔座標パラメーターに対する各画像についての該コンタクトレンズの位置座標パラメーターおよび／または配向座標パラメーターを計算する工程；ならびに
ｅ）選択した時間間隔にわたって、約１０Ｈｚより速い繰り返し速度で、工程（ａ〜ｄ）を繰り返す、工程、
を包含する、方法。
【請求項２２】
前記選択された時間間隔が、約５秒〜２０秒の間である、請求項２１に記載の方法。
【請求項２３】
請求項２１または２２に記載の方法であって、前記選択された時間間隔にわたって、最も頻繁に生じる位置座標パラメーターおよび／または配向座標パラメーターを決定する工程を包含する、方法。
【請求項２４】
請求項２１または２２に記載の方法であって、瞬きの間隔を決定し、該瞬きの間隔の間、前記コンタクトレンズの位置座標パラメーターおよび／または配向座標パラメーターの決定を排除する工程を包含する、方法。
【請求項２５】
請求項２３に記載の方法であって、瞬きの間隔を決定し、該瞬きの間隔の間、前記コンタクトレンズの最も頻繁に生じる位置座標パラメーターおよび／または配向座標パラメーターの決定を排除する工程を包含する、方法。
【請求項２６】
請求項２１〜２５のいずれか一項に記載の方法であって、各コンタクトレンズ画像に対応する波面収差画像を得、各画像についての波面収差を決定する工程を包含する、方法。
【請求項２７】
請求項２６に記載の方法であって、前記選択された時間間隔にわたって、最も頻繁に生じる波面収差を決定する工程を包含する、方法。
【請求項２８】
請求項２７に記載の方法であって、瞬きの間隔を決定し、該瞬きの間隔の間、最も頻繁に生じる波面収差の決定を排除する工程を包含する、方法。
【請求項２９】
インビボのコンタクトレンズをオンラインで客観的に評価するための方法であって、以下：
ａ）その表面上に複数のマークを有するコンタクトレンズを被験体にインビボで提供する工程；
ｂ）該マークを照射する工程；
ｃ）該マークを画像化する工程；
ｄ）該被験体の瞳孔の位置座標を決定する工程；
ｅ）該瞳孔位置座標に対する、該マークの位置座標を決定する工程；および
ｆ）約１０Ｈｚより速い繰り返し速度で、オンラインで、選択された時間間隔にわたって工程（ｂ〜ｅ）を繰り返す工程、
を包含し、これによって、該コンタクトレンズの位置および／または配向を、オンラインで決定する、方法。
【請求項３０】
請求項２９に記載の方法であって、前記マークが、前記患者の眼の瞳孔領域に重なる、方法。
【請求項３１】
請求項２９または３０に記載の方法であって、前記繰り返し速度で、オンラインで、瞳孔の大きさを測定する工程を包含する、方法。
【請求項３２】
請求項２９〜３１のいずれか一項に記載の方法であって、前記レンズ上の画像化されたマークのそれぞれについて、質量中心値を決定する工程を包含する、方法。
【請求項３３】
請求項２９〜３２のいずれか一項に記載の方法であって、最初に前記コンタクトレンズの後方表面を通り、次いで前方表面を通って伝搬する光を用いて、前記マークを照射する工程を包含する、方法。
【請求項３４】
請求項２９〜３３のいずれか一項に記載の方法であって、前記オンライン測定が、約１０Ｈｚ〜約２５Ｈｚの間の範囲の繰り返し速度でなされる、方法。
【請求項３５】
請求項２９〜３４のいずれか一項に記載の方法であって、前記患者の眼に対応するオンライン波面測定を行う工程を包含する、方法。
【請求項３６】
請求項２９〜３５のいずれか一項に記載の方法であって、インビボのコンタクトレンズの最も頻繁に生じる位置および／または配向を決定する工程を包含する、方法。
【請求項３７】
請求項２９〜３６のいずれか一項に記載の方法であって、前記患者の瞬きの間隔を決定し、該瞬きの間隔の間の測定データを排除する工程を包含する、方法。
【請求項３８】
請求項３７に記載の方法であって、前記コンタクトレンズの最も頻繁に生じる位置および／または配向を決定する工程を包含する、方法。
【請求項３９】
請求項３５に記載の方法であって、前記選択された時間間隔にわたって、最も頻繁に生じる波面収差を決定する工程を包含する、方法。
【請求項４０】
請求項３９に記載の方法であって、前記患者の瞬きの間隔を決定し、該瞬きの間隔の間の測定データを排除する工程を包含する、方法。
【請求項４１】
請求項４０に記載の方法であって、前記選択された時間間隔にわたって、前記コンタクトレンズの最も頻繁に生じる位置および／または配向を決定する工程を包含する、方法。
【請求項４２】
請求項３９に記載の方法であって、前記波面収差が、等価球面度数測定である、方法。
【請求項４３】
請求項２９に記載の方法であって、前記特別にマークされたコンタクトレンズが、請求項１〜２０のいずれか一項に記載のコンタクトレンズである、方法。
【請求項４４】
請求項２９に記載の方法であって、前記コンタクトレンズの位置および／または配向をオンラインで決定するために、改変Ｈｏｕｇｈ変換を使用する工程を包含する、方法。
【請求項４５】
インビボのコンタクトレンズを客観的に評価するための方法であって、以下：
ａ）適切にマークされたコンタクトレンズを被験体にインビボで提供する工程；
ｂ）該被験体の瞳孔の位置座標を決定する工程；
ｃ）該瞳孔の位置座標に対する該コンタクトレンズの位置座標を決定する工程；および
ｆ）約１０Ｈｚより速い繰り返し速度で、オンラインで、選択された時間間隔にわたって工程（ａ〜ｃ）を繰り返す工程、
を包含する、方法。
【請求項４６】
請求項４５に記載の方法であって、前記オンライン測定が、約１０Ｈｚ〜２５Ｈｚの間の範囲の繰り返し速度で行われる、方法。
【請求項４７】
請求項４５または４６に記載の方法であって、前記患者の眼に対応するオンライン波面測定を行う工程を包含する、方法。
【請求項４８】
請求項４５〜４７のいずれか一項に記載の方法であって、インビボのコンタクトレンズの最も頻繁に生じる位置および／または配向を決定する工程を包含する、方法。
【請求項４９】
請求項４５〜４８のいずれか一項に記載の方法であって、前記患者の瞬きの間隔を決定し、該瞬きの間隔の間の測定データを排除する工程を包含する、方法。
【請求項５０】
請求項４９に記載の方法であって、前記コンタクトレンズの最も頻繁に生じる位置および／または配向を決定する工程を包含する、方法。
【請求項５１】
請求項４７に記載の方法であって、前記選択された時間間隔にわたって、最も頻繁に生じる波面収差を決定する工程を包含する、方法。
【請求項５２】
請求項５１に記載の方法であって、前記患者の瞬きの間隔を決定し、該瞬きの間隔の間の測定データを排除する工程を包含する、方法。
【請求項５３】
請求項５２に記載の方法であって、前記選択された時間間隔にわたって、前記コンタクトレンズの最も頻繁に生じる位置および／または配向を決定する工程を包含する、方法。
【請求項５４】
請求項５１に記載の方法であって、前記波面収差が、等価球面度数測定である、方法。
【請求項５５】
コンピュータに瞳孔パラメーターを決定させるプログラムであって、該コンピュータに、
ａ）瞳孔画像を得る工程；
ｂ）該瞳孔画像を選択された量ｎによって圧縮し、そして該瞳孔画像を選択された異なる量ｎ１によって圧縮する工程であって、ここで、ｎ１＜ｎであり、ｎ１＜１０である、工程；
ｃ）該圧縮された瞳孔画像についての閾値を計算する工程；
ｄ）該瞳孔の中心パラメーター値を決定する工程；
ｅ）該瞳孔の複数座標軸直径パラメーターを決定する工程；
ｆ）該中心パラメーターと複数座標軸パラメーターとに基づいて、該瞳孔の周形状を決定する工程；
ｇ）該形状を該圧縮画像内にプロットし、該周の内側の平均画素信号値を決定する工程；
ｈ）該周を選択された量Δによって拡大し、該拡大された周を有する新たな画像に対して工程（ｃ、ｄ）を繰り返す工程；
ｉ）該直径座標軸のそれぞれの各端部における外縁点位置を決定し、周形状を該点に合わせる工程；
ｊ）工程ｉ）で得られた画像に対して工程（ｄ）を繰り返す工程；
ｋ）該ｎ１圧縮瞳孔画像に対して工程（ｇ）を繰り返す工程；
ｌ）工程（ｋ）の画像に対して、Δ１＜ΔのΔ１を用いて、工程（ｈ）を繰り返す工程；
ｍ）工程(ｌ）の画像に対して、工程（ｄ、ｅ）を繰り返す工程；
ｎ）該工程（ｍ）の画像に対して、まぶたの補正を行う工程；ならびに
ｏ）工程（ｎ）の画像に対して工程（ｄ、ｅ）を繰り返す工程、
を実行させることを特徴とするプログラム。
【請求項５６】
請求項５５に記載のプログラムであって、ｎが整数であり、１≦ｎ＜２０である、プログラム。
【請求項５７】
請求項５５または５６に記載のプログラムであって、工程（ｃ）が、前記閾値未満の全画素値をゼロ値に設定し、該閾値より大きい全画素値を高い値に設定することによって、バイナリイメージを作成する工程を包含する、プログラム。
【請求項５８】
請求項５７に記載のプログラムであって、ゼロ値画素について質量中心および標準偏差を決定し、これを、ｘ座標軸およびｙ座標軸に沿った直径値を決定するために使用する、プログラム。
【請求項５９】
請求項５８に記載のプログラムであって、前記周形状が、楕円である、プログラム。
【請求項６０】
請求項５９に記載のプログラムであって、Δが、約５％〜２５％の間の範囲であり、そしてΔ１が、約５％〜２５％の間の範囲である、プログラム。
【請求項６１】
請求項６０に記載のプログラムであって、工程（ｉ）が、前記ｘ座標軸およびｙ座標軸の各端部において、楕円を外縁点に合わせる工程を包含する、プログラム。
【請求項６２】
請求項６１に記載のプログラムであって、工程（ｎ）が、見つけ出された楕円周を含む全画素カラムを走査し、該楕円周と該瞳孔外縁との間の差分関数をＸ位置の関数として計算する工程を包含する、プログラム。
【請求項６３】
請求項６２に記載のプログラムであって、前記差分関数の少なくとも２つの極大値と該極大値の間にある極小値とを決定し、選択された誤差基準を満足することに基づいて、該２つの極大値のＸ位置の間に前記見つけ出された楕円の円弧を配置する工程を包含する、プログラム。
【請求項６４】
請求項６３に記載のプログラムであって、前記瞳孔中心パラメーターおよび前記瞳孔サイズパラメーターを決定する工程を包含する、プログラム。